(57)【要約】      （修正有）【課題】簡単に形状を変更することができ、且つ、形状が安定し、型崩れし難い座布団を提供する。【解決手段】座布団１は、傾斜面１１と水平面からなる本体部材１０と反転部材２０とからなり、反転部材２０が本体部材１０の後方側の上に位置する第１形態では、本体部材１０の前方側の傾斜面と連続して、後ろ上がりの傾斜面を形成し、反転部材２０が前記本体部材の前方側の上に位置する第２形態では、本体部材１０の後方側の水平面と連続する水平面を形成し、本体部材１０の前方側上面と、第１形態における反転部材２０の上面とに、相互に嵌まり合う複数の凹凸を有する。【選択図】図１
2016187516.tif 000002
【特許請求の範囲】
【請求項１】
座布団において、使用者の腰掛姿勢に対応して、前後方向と幅方向とを想定し、さらに該前後方向に区分して前方側と後方側とを想定したとき、
当該座布団は、
前方側の上面が、前下がりの傾斜を有する傾斜面であり、後方側の上面が水平面である本体部材と、
上面における前方側と後方側との境界線を軸として前後方向に反転することで、上面と下面の天地が逆転する反転部材からなり、
該反転部材が前記本体部材の後方側の上に位置する第１形態では、前記本体部材の前方側の傾斜面と連続して、後ろ上がりの傾斜面を形成し、
該反転部材が前記本体部材の前方側の上に位置する第２形態では、前記本体部材の後方側の水平面と連続する水平面を形成し、
前記本体部材の前方側上面と、前記第１形態における前記反転部材の上面とに、相互に嵌まり合う複数の凹凸を有することを特徴とする座布団。
【請求項２】
さらに、
前記本体部材の後方側上面と、前記第２形態における反転部材の上面とに、相互に嵌まり合う複数の凹凸を有する請求項１に記載の座布団。
【請求項３】
前記第１形態における反転部材の上面と、前記本体部材の前方側の傾斜面とは、面一になっており、且つ両者は傾斜角が略同一であり、
前記第２形態における反転部材の上面と、前記本体部材の後方側の水平面とは、面一になっている請求項１又は２に記載の座布団。
【請求項４】
さらに、
前記上面における前方側と後方側との境界線の適所に、本体部材を垂直方向に貫通するスリットを設けて、前記反転部材より突出するように一体化された硬質のヒンジが、該スリットに嵌め込まれることにより、前記本体部材に対して旋回自在であるように連結されている請求項１〜３のいずれか１項に記載の座布団。
【請求項５】
さらに、
前記本体部材及び反転部材の厚さ方向に通気孔を有している請求項１〜４のいずれか１項に記載の座布団。
【請求項６】
さらに、
前記本体部材の底面側に通気溝を有している請求項１〜５のいずれか１項に記載の座布団。
【請求項７】
さらに、
前記本体部材と前記反転部材を各々独立して封入する２つの袋体を有し、
前記各袋体は、前記本体部材を封入する本体部材封入部分と、前記反転部材を封入する反転部材封入部分とが、前記境界線の位置において連結されている請求項１〜６のいずれか１項に記載の座布団。
【発明の詳細な説明】
【技術分野】
【０００１】
本発明は、座布団に関し、特に、座面の水平角度を簡単に変更して、例えば、前方へ傾斜させることで、座姿勢の改善や、インナーマッスルと下肢の訓練に資することのできる座布団に関するものである。
【背景技術】
【０００２】
様々な形状の座布団が提案され販売されている。座布団は、体圧を分散して座り心地を向上させたり、床からの冷えを防止させたりするなどの目的で使用されるので、弾力性や保温性を有する弾性素材が多用されている。また一般的な座布団は、薄い円盤形状や四角盤形状のものが多く、下面と上面とがいずれも水平面に対して平行であるが、筋力訓練用や姿勢矯正用に、水平な下面に対して上面を前方へ傾斜させた座布団も工夫されている。
【０００３】
例えば、水平下面に対して上面を前方へ傾斜させたような外観形状（Ａ）と、下面と上面とがいずれも水平且つ平行であるような外観形状（Ｂ）とを自在に交互変換し得る身体保持パッドが特許文献１に開示されている（特許文献１の図１、２、７、８参照）。また、特許文献１には、「一つの身体保持パッドを複数の使用目的に対応させ得るようになり、ユーザの経済的負担を軽減し得る効果等もある。」と記載されている。
【先行技術文献】
【特許文献】
【０００４】
【特許文献１】特開２００４−２２３０８２号公報
【発明の概要】
【発明が解決しようとする課題】
【０００５】
特許文献１では、同文献の図１、２に示す上記外観形状（Ａ）の場合において、四角柱形状の第１パッド部２０の上に、該第１パッド部２０より硬度を高く設定した三角柱形状の第２パッド部３０を重ねることで、前方へ傾斜した身体保持面１４が形成される。そのため、ユーザは前方へ傾斜姿勢を保持しようと努め、このことによって姿勢保持のための体幹筋肉が強化されるのであるが、ユーザの身体が傾斜面に沿って滑り落ちやすく、長い時間にわたって前傾姿勢を保つことができないから、期待される程には使いこなせないという問題がある。
【０００６】
また、同文献の図７、８に示す上記外観形状（Ｂ）の場合においても、第１パッド部２０の上に第２パッド部３０を斜めに重ねており、その上にユーザの体重が掛るので、ユーザが座り姿勢や座り位置を少しでも変化させようとした時に、第１パッド部２０が重ね面に沿って滑り落ちようとする力が働く。また、第１パッド部２０と第２パッド部３０とは連結部材４０により連結されていることから、該連結部材４０の取り付け部分に対して、局所的な応力集中が生じる。
【０００７】
したがって、同文献の図１、２に示された上記外観形状（Ａ）の構成では、ユーザの身体を傾斜姿勢に保持させ続ける上で不十分であった。また、同文献の図７、８に示された上記外観形状（Ｂ）の構成では、ユーザが安定して腰掛けることができないと共に、連結部材４０やその取り付け部分が壊れ易いという問題があった。さらに、第１パッド部２０は弾性素材であるので、重ね面が滑って連結部材４０に過大な負担がかかった状態では、第１パッド部２０がいびつに変形するという問題があった。
【０００８】
本発明は以上のような従来の課題を考慮してなされたものであり、簡単に形状を変更することができ、且つ、形状が安定し、型崩れし難い座布団を提供するものである。
【課題を解決するための手段】
【０００９】
本発明に係る座布団において、使用者の腰掛姿勢に対応して、前後方向と幅方向とを想定し、さらに該前後方向に区分して前方側と後方側とを想定したとき、当該座布団は、前方側の上面が、前下がりの傾斜を有する傾斜面であり、後方側の上面が水平面である本体部材と、上面における前方側と後方側との境界線を軸として前後方向に反転することで、上面と下面の天地が逆転する反転部材からなり、図１に示すように、該反転部材が前記本体部材の後方側の上に位置する第１形態（ａ）では、前記本体部材の前方側の傾斜面と連続して、後ろ上がりの傾斜面を形成し、図２に示すように、該反転部材が前記本体部材の前方側の上に位置する第２形態（ｂ）では、前記本体部材の後方側の水平面と連続する水平面を形成し、前記本体部材の前方側上面と、前記第１形態における前記反転部材の上面とに、相互に嵌まり合う複数の凹凸を有することを特徴とする。
【００１０】
なお、ここで言う「水平面」とは、緩やかな傾斜面であることを排除せず、この際、第２形態（ｂ）における「連続する水平面」は、「連続する緩やかな傾斜面」を形成することになるが、緩やかである限り前傾、後傾を排除しない。
【００１１】
前記凹凸は、上下共に緩やかな曲面状、上下共に屈曲した三角状、四角状、台形状の如何を問わないが、理解の便宜を図る趣旨で以下「第１凹凸」という。この第１凹凸によって、ユーザが第１形態（ａ）で使用する際には、ユーザが前方へずり下がるのを抑制し、且つユーザの骨盤が前傾して良好な姿勢状態を維持することができ、インナーマッスルと下肢の訓練に資することが可能となる。また、ユーザが反転部材を前方側へ反転させて第２形態（ｂ）で使用する際には、この第１凹凸が相互に嵌まり合うことで該凹凸面同士の間で摩擦が生じ、本体部材と反転部材とが相互に滑り合おうとする動きを抑制して座布団の前方側が滑ることを防止でき、安定した座姿勢を保つことができる。
【００１２】
座布団は、さらに、前記本体部材の後方側上面と、前記第２形態（ｂ）における反転部材の上面とに、相互に嵌まり合う複数の凹凸を有することが好ましい。この凹凸についても、第１凹凸の形状を説明したのと同旨で自由に採用できる。同じく理解の便宜を図る趣旨で以下「第２凹凸」という。この第２凹凸によって、ユーザが第２形態（ｂ）で使用する際には、座布団に座ったユーザの臀部に対して、第２凹凸が心持ち良い「つぼ刺激」効果を発揮することができる。また、ユーザが反転部材を後方側へ反転させて第１形態（ａ）で使用する際には、この第２凹凸が相互に嵌まり合うことで該凹凸面同士の間で摩擦が生じ、前傾座り姿勢における臀部側の荷重による反転部材の滑り落ちに対して、本体部材と反転部材とが相互に滑り合おうとする動きを抑制することができ、座布団の形状を安定させ、型崩れを抑えることができる。
【００１３】
また、座布団において、前記第１形態（ａ）における反転部材の上面と前記本体部材の前方側の傾斜面とは、面一になっており、且つ両者は傾斜角が略同一であり、前記第２形態（ｂ）における反転部材の上面と、前記本体部材の後方側の水平面とは、面一になっており、且つ両者は傾斜角が略同一であることが好ましい。
【００１４】
さらに、座布団において、前記本体部材と前記反転部材を各々独立して封入する２つの袋体を有し、前記各袋体は、前記本体部材を封入する本体部材封入部分と、前記反転部材を封入する反転部材封入部分とが、前記境界線の位置において連結されていることが好ましい。
【００１５】
さらに、座布団において、前記上面における前方側と後方側との境界線の適所に、本体部材を垂直方向に貫通するスリットを設けて、前記反転部材より突出するように一体化された硬質のヒンジが、該スリットにはめ込まれることにより、前記本体部材に対して旋回自在であるように連結されていることが好ましい。
【００１６】
さらに、座布団において、本体部材及び反転部材の厚さ方向には、通気孔を有していることが好ましく、本体部材の底面側には、通気溝を有していることが好ましい。
【発明の効果】
【００１７】
本発明に係る座布団は、第１形態（ａ）と第２形態（ｂ）との間で簡単に交互変換することができる。また、第１凹凸を構成している第１形態（ａ）における本体部材の前方側上面の凹凸と、第１形態（ａ）における反転部材の上面の凹凸とによって、ユーザが第１形態（ａ）で使用する際には、座布団に座ったユーザが前方へずり下がるのを抑制し、且つユーザの骨盤が前傾して良好な姿勢状態を維持することができ、インナーマッスルと下肢の訓練に資することが可能となる。また、ユーザが反転部材を前方側へ反転させて第２形態（ｂ）で使用する際には、この第１凹凸が相互に嵌まり合うことで該凹凸面同士の間で摩擦が生じ、本体部材と反転部材とが相互に滑り合おうとする動きを抑制して座布団の前方側が滑ることを防止でき、安定した座姿勢を保つことができる。
【００１８】
なお、第１凹凸及び第２凹凸は、それぞれ、相互に嵌まり合うものであるが、該凹凸の嵌まり合いは、座布団素材のクッション性が高くなるのに応じて、ユーザが滑り落ちるのを防止するという効果を向上させるものである。
【図面の簡単な説明】
【００１９】
【図１】本発明の第１形態（ａ）における外観立体図（上面側）である。
【図２】本発明の第２形態（ｂ）における外観立体図（上面側）である。
【図３】本発明の第１形態（ａ）における側面図である。
【図４】本発明の第２形態（ｂ）における側面図である。
【図５】複数の凹凸を垂直方向に設けた場合の外観立体図（上面側）である。
【図６】複数の凹凸を斜め方向に設けた場合の外観立体図（上面側）である。
【図７】第２形態（ｂ）における分解斜視図である。
【図８】座面側に通気孔を、底面側に通気溝を有する場合の外観立体図（上面側）である。
【図９】通気孔、通気溝を有する場合の第１形態（ａ）における投影図である。
【図１０】同様の通気孔、通気溝を有する場合の第２形態（ｂ）における投影図である。
【図１１】本発明の実施の形態に係る座布団の袋体の外観立体図（上面側）である。
【図１２】本発明の実施の形態に係る座布団の袋体の第１形態（ａ）における投影図である。
【図１３】本発明の実施の形態に係る座布団の袋体の第２形態（ｂ）における投影図である。
【発明を実施するための形態】
【００２０】
本発明の実施形態に係る座布団は、本体部材、反転部材及び袋体とからなる。本体部材と反転部材は袋体の中に封入されているので、外観上に現れるのは袋体だけである。袋体は一般に厚さ０．５〜３ミリ程度の布製であり、座布団の形状は本体部材及び反転部材の形状に依存するので、説明の簡略化のために、図１〜１０において袋体を透明視している。
【００２１】
図１は、本発明の第１形態（ａ）における外観立体図（上面側）、図２は、本発明の第２形態（ｂ）における外観立体図（上面側）である。本体部材１０は、材質がポリウレタンフォーム（ＰＵＦ）、エステル綿、ポリスチレン（ＰＳ）などの、弾力性や保温性を有する軟質弾性素材からなり、前方側の上面が前下がりの傾斜を有する傾斜面１１であり、後方側の上面が水平面１２である。さらに、本体部材１０の前方側上面の傾斜面１１には、複数の凹凸が形成されている。この凹凸は、緩やかな曲面状、屈曲した三角状、四角状、台形状の如何を問わず、また、幅方向や前後方向に形成することも問わないが、座布団に座ったユーザが前方へずり下がらないようにすることを考慮して、例えば、幅方向に延伸する複数の波条１１ａを有することが好ましい。また、複数の凹凸は、前後方向のいずれの箇所であっても良く、例えば、傾斜面１１の全面であっても、一部分であっても構わない。さらに、複数の凹凸は、図５、６に示すような、上面に対して垂直方向（凹凸は幅方向に対して平行、かつ、連続的に配置）や斜め方向（凹凸を幅方向に対して斜めにして、幅方向両端部に非凹凸部を設けて配置）に形成することも可能である。
【００２２】
反転部材２０は、本体部材１０と同様の軟質弾性素材からなり、上面における前方側と後方側との境界線Ｘを軸として反転する。境界線Ｘの位置は、後述する袋体３０の構成と密接に関係している。すなわち、袋体３０は、本体部材１０を封入する本体部材封入部分３１と、反転部材２０を封入する反転部材封入部分３２とが、境界線Ｘの位置において連結されている（図１１参照）。
【００２３】
図１、図３に示すように、第１形態（ａ）では、反転部材２０が本体部材１０の後方側の上に位置し、反転部材２０の上面２２は、本体部材１０の前方側の傾斜面１１と一体化して、全体的に後ろ上がりの傾斜面Ａを形成する。さらに、第１形態（ａ）における反転部材２０の上面２２は、複数の凹凸を有している。この凹凸は、本体部材１０の前方側上面の傾斜面１１と同様に、形状や存在箇所について特に限定するものではないが、座布団に座ったユーザが前方へずり下がらないようにすることを考慮して、例えば、幅方向に延伸する複数の波条２２ａを有することが好ましい。なお、第１形態（ａ）における反転部材２０の上面２２と、本体部材１０の前方側の傾斜面１１とは面一になっており、且つ両者は傾斜角が略同一であることが好ましい。また、第１形態（ａ）における反転部材２０の上面２２及び本体部材１０の前方側の傾斜面１１は、座布団に座ったユーザが前方へずり下がらないようにし、且つユーザの骨盤が前傾して良好な姿勢状態が作られることを考慮して、傾斜角が１０〜１５度であることが好ましく、１１〜１３度であることがより好ましい。
【００２４】
一方、図２、図４に示すように、第２形態（ｂ）では、反転部材２０が本体部材１０の前方側の上に位置し、反転部材２０の上面２１は、本体部材１０の後方側の水平面１２と一体化して水平面Ｂを形成する。なお、第２形態（ｂ）における反転部材２０の上面２１と、本体部材１０の後方側の水平面１２とは面一になっており、且つ両者は傾斜角が略同一であることが好ましい。また、第２形態（ｂ）における反転部材２０の上面２１及び本体部材１０の後方側の水平面１２は、ユーザが安定した座姿勢を保てるように、傾斜角が±５度以下であることが好ましく、±１度以下であることがより好ましい。
【００２５】
本発明の実施形態に係る座布団１は、第１形態（ａ）において、第１凹凸を構成している本体部材１０の前方側上面の波状１１ａと、第１形態（ａ）における反転部材２０の上面の波状２２ａによって、ユーザが第１形態（ａ）で使用する際には、座布団に座ったユーザが前方へずり下がるのを抑制し、且つユーザの骨盤が前傾して良好な姿勢状態を維持することができ、下肢のインナーマッスルの訓練に資することが可能となる。
【００２６】
また、ユーザが反転部材を前方側へ反転させて第２形態（ｂ）で使用する際には、この第１凹凸が相互に嵌まり合うことで該凹凸面同士の間で摩擦が生じ、本体部材と反転部材とが相互に滑り合おうとする動きを抑制して座布団の前方側が滑ることを防止でき、安定した座姿勢を保つことができる。
【００２７】
さらに、第２形態（ｂ）において、第２凹凸を構成している本体部材１０の後方側上面の波状１２ａと、第２形態（ｂ）における反転部材２０の上面の波状２１ａによって、座布団に座ったユーザが安定した座姿勢を保つことが可能となる。
【００２８】
また、ユーザが反転部材を後方側へ反転させて第１形態（ａ）で使用する際には、この第２凹凸が相互に嵌まり合うことで該凹凸面同士の間で摩擦が生じ、本体部材と反転部材とが相互に滑り合おうとする動きを抑制することができ、座布団の形状を安定させ、型崩れを抑えることができる。
【００２９】
なお、本体部材１０と反転部材２０の位置決めと反転部材２０にかかる荷重を分散させて耐久性を向上させることを考慮して、反転部材２０の端部より突出した部位（以下、ヒンジという。）４０が、本体部材１０に設けられたすき間（以下、スリットという。）５０に嵌め込まれることが好ましい。
【００３０】
上記ヒンジ４０とスリット５０について、第２形態（ｂ）を例にして説明する。具体的には、図７に示すように、本体部材１０の上面における前方側と後方側との境界線Ｘの近傍にスリット５０を設けて、反転部材２０の端部より突出した板状のヒンジ４０がスリット５０に差し込まれて、本体部材１０と反転部材２０が連結されるように構成することが好ましい。ここで、ヒンジ４０の形状は、本体部材１０と反転部材２０が連結されて、該反転部材２０の曲げ強度が確保できれば特に限定されるものではなく、適宜設計することが可能である。また、ヒンジ４０の材質については、例えば、該反転部材２０の曲げ強度を考慮して硬質のものを用いることが好ましく、具体的にはポリプロピレン製のものを用いることがより好ましい。本体部材１０と反転部材２０を固定する方法としては、反転部材２０の端部やヒンジ４０の表面に接着テープまたは両面テープを貼り付けて行うことが好ましい。
【００３１】
なお、本発明において座布団とは、ユーザが上に座って使用し、緩衝材として用いられるあらゆるものを意味するものとし、クッションやパッドなどを含む。
【００３２】
本発明の実施形態に係る波条１１ａ、１２ａ、２１ａ、２２ａは、それぞれ座り状態で臀部に軽快な刺激を与えることができ、いわゆるツボ刺激に似た感触を楽しむことができる。そして座り位置を前側にわずかに変更することや、座り姿勢を前傾又は後傾にわずかに変更することにより、同一位置、同一方向への刺激を変化させることも可能であり、一般的に言われる前傾姿勢の座り難さを緩和することにも資する。また、波状とすることで、本体部材１０や反転部材２０の材質である軟質弾性素材を構成する繊維が伸びるのを防止することができる。
【００３３】
本発明の実施形態に係る座布団１は、第１形態（ａ）において、角度がついて前方に傾斜することでユーザの骨盤が前傾し、背筋の伸びた良い姿勢状態が作られるので、インナーマッスルの訓練になる。また第１形態（ａ）では、太腿に力を入れないと姿勢を保てないので自然に下肢が訓練され、腰椎の前湾が強化されることにより、肩甲骨が後方に変位し、肩甲骨内側から頚椎、胸椎及び腰の筋肉の緊張が緩和され腰痛や肩こりが解消されることも期待される。また第１形態（ａ）では、姿勢を改善することにより、ヒップアップ効果が得られることが期待される。
【００３４】
図８は、座面側に通気孔、底面側に通気溝を有する場合の外観立体図（上面側）であり、図９、１０は、それぞれ、通気孔、通気溝を有する場合の第１形態（ａ）、第２形態（ｂ）における投影図である。ユーザが座布団１に長時間座ることによる蒸れの発生を抑えることを考慮して、本体部材１０と反転部材２０の厚さ方向に通気孔を設けることや、本体部材１０の底面側に通気溝を設けることが好ましい。該通気孔や該通気溝に関して、孔や溝の形状や配置等は特に限定されるものではないが、本体部材１０と反転部材２０の材質である軟質弾性体の強度や伸縮性に応じて、適宜設計することが可能である。
【００３５】
さらに、梅雨時や夏場の蒸し暑い時期での使用を考慮して、座布団１の底面にも波状の凹凸を設けて、上面及び底面の両面をリバーシブルに使用可能にすることで、蒸れ対策を施すことも可能である。
【００３６】
また、前記蒸れの発生を抑制することを考慮して、例えば、座布団１の上に、さらに、い草のゴザや畳表等を敷く方法を適宜実施することも可能である。この場合、本発明の実施形態に係る座布団１には、本体部材１０の上面や反転部材２０の上面に波状の凹凸を有していることから、い草のゴザや畳表等を敷いても滑ることがなく、ユーザにとって安定した座姿勢を保持することが可能である。
【００３７】
図１１は、本発明の実施の形態に係る座布団の袋体の外観立体図（上面側）であり、図１２、１３は、それぞれ、本発明の実施の形態に係る座布団の袋体の第１形態（ａ）、第２形態（ｂ）における投影図である。袋体３０は、本体部材及び反転部材を封入することができる布帛製や革製の袋である。なお、袋体３０は布帛製や革製に限らず、同様な形状を実現でき必要な強度が得られるものであればどんな材質であってもよい。図１１に示すように、袋体３０は、本体部材を封入する本体部材封入部分３１と、反転部材を封入する反転部材封入部分３２とが、境界線Ｘの位置において連結されているため、保護カバーの役割と、本体部材１０と反転部材２０とを連結する連結部材の役割とを担っている。
【符号の説明】
【００３８】
１    座布団
１０    本体部材
１１    傾斜面
１１ａ  波条
１２    水平面
１２ａ  波条
２０    反転部材
２１    第２形態（ｂ）における反転部材２０の上面
２１ａ  波条
２２    第１形態（ａ）における反転部材２０の上面
２２ａ  波条
３０    袋体
３１    本体部材封入部分
３２    反転部材封入部分
４０    ヒンジ
５０    スリット
Ａ    第１形態（ａ）における本体部材１０の傾斜面１１と反転部材２０の上面２２を一体化した傾斜面
Ｂ    第２形態（ｂ）における反転部材２０の上面２１と本体部材１０の水平面１２を一体化した水平面
Ｘ    境界線
【図１】
2016187516.tif 000003
【図２】
2016187516.tif 000004
【図３】
2016187516.tif 000005
【図４】
2016187516.tif 000006
【図５】
2016187516.tif 000007
【図６】
2016187516.tif 000008
【図７】
2016187516.tif 000009
【図８】
2016187516.tif 000010
【図９】
2016187516.tif 000011
【図１０】
2016187516.tif 000012
【図１１】
2016187516.tif 000013
【図１２】
2016187516.tif 000014
【図１３】
2016187516.tif 000015